(57)【要約】【課題】画像の再生時において、表示部のバックライトを、周囲の環境に適した輝度にすること。【解決手段】撮像装置１は、モード切替部７６と、バックライト制御部７８と、を備える。モード切替部７６は、撮像部２２により被写体の撮像画像を撮像する撮影モードと、撮像部２２による撮像動作を停止し撮像部２２により撮像された撮像画像の被写体を表示部２１で表示する再生モードと、を少なくとも含む複数の動作モードのうち１の動作モードに切り替える。バックライト制御部７８は、被写体を表示部２１で表示する場合に、表示部２１のバックライト部５０の輝度を設定する。そして、バックライト制御部７８は、モード切替部７６により動作モードが再生モードに切り替えられた場合には、撮像部２２により撮像された被写体の撮像画像のデータから特定される明るさ情報に基づいて、表示部２１のバックライト部５０の輝度を設定する。【選択図】図５
2015005914.tif 000002
【特許請求の範囲】
【請求項１】
撮像手段により被写体の撮像画像を撮像する撮影モードと、前記撮像手段による撮像動作を停止し前記撮像手段により撮像された前記被写体を表示手段で表示する再生モードと、を少なくとも含む複数の動作モードのうち１の動作モードに切り替えるモード切替手段と、
前記被写体を前記表示手段で表示する場合に、前記表示手段のバックライトの輝度を設定するバックライト制御手段と、
を備え、
前記バックライト制御手段は、
前記モード切替手段により動作モードが前記再生モードに切り替えられた場合には、前記撮像手段により所定のタイミングで撮像された被写体の撮像画像のデータから特定される明るさ情報に基づいて、前記再生モードが設定されている期間における前記表示手段のバックライトの輝度を設定する、
ことを特徴とする撮像装置。
【請求項２】
前記バックライト制御手段は、
前記モード切替手段により前記動作モードが前記撮影モードから前記再生モードに切り替えられる直前に前記撮像手段により撮像された撮像画像のデータから特定される明るさ情報に基づいて、前記表示手段のバックライトの輝度を設定する、
ことを特徴とする請求項１に記載の撮像装置。
【請求項３】
前記バックライト制御手段は、
前記モード切替手段により再び前記撮影モードに切り替えられるまでの間、前記表示手段のバックライトの輝度を維持するように設定する、
ことを特徴とする請求項２に記載の撮像装置。
【請求項４】
前記バックライト制御手段は、
前記モード切替手段により前記撮影モードに切り替えられた場合に、
ライブビュー表示用に逐次撮像される撮像画像のデータから特定される明るさ情報に基づいて、前記撮像手段により撮像される撮像条件と、前記表示手段のバックライトの輝度の両方を変化させる、
ことを特徴とする請求項１乃至３のうち何れか１項に記載の撮像装置。
【請求項５】
前記撮像手段により撮像された被写体の撮像画像のデータから特定される明るさ情報と、前記バックライト制御手段により設定される前記表示手段のバックライトの輝度と、の対応関係が予め規定されている、
ことを特徴とする請求項１乃至４のうち何れか１項に記載の撮像装置。
【請求項６】
前記バックライト制御手段は、
前記モード切替手段により前記撮影モードから前記再生モードに切り替えられる直前の所定時間内に撮像された前記撮像画像から特定される明るさ情報に基づき明るさの変化の範囲を特定し、この特定された明るさの変化の範囲内で対応する前記表示手段のバックライトの輝度を設定する、
ことを特徴とする請求項５に記載の撮像装置。
【請求項７】
前記バックライト制御手段は、
前記特定された明るさの変化の範囲に対応する前記バックライトの輝度の範囲内から、所定の動作モードの設定状態に応じて前記バックライトの輝度を選択する、
ことを特徴とする請求項６に記載の撮像装置。
【請求項８】
前記バックライト制御手段は、
前記撮像装置の消費電力を抑える省電力モードが設定されている場合は、前記特定された明るさの変化の範囲に対応する前記バックライトの輝度の範囲内から、最も暗いバックライドの輝度を選択する、
ことを特徴とする請求項７に記載の撮像装置。
【請求項９】
前記バックライト制御手段は、
前記特定された明るさの変化の範囲が所定未満である場合には、前記所定時間内の最後に撮像された撮像画像のデータから特定される明るさ情報に基づいて前記バックライトの輝度を設定し、
前記特定された明るさの変化の範囲が所定以上である場合には、前記所定時間内に撮像された撮像画像のデータから特定される明るさの変化の範囲に対応する前記バックライトの輝度の範囲内から、所定の基準に基づいて前記バックライトの輝度を設定する、
ことを特徴とする請求項６に記載の撮像装置。
【請求項１０】
前記バックライト制御手段は、
前記再生モードにおける前記バックライトの輝度の設定方法を、
前記撮影モードから前記再生モードに切り替えられたタイミングで撮像される撮像画像のデータから特定される明るさ情報に対応する前記バックライトの輝度を設定する第１の輝度設定方法と、
前記表示手段により表示される対象として選択された各々の撮像画像のデータの撮像時における明るさ情報を特定し、この特定された明るさ情報に対応する前記バックライトの輝度を設定する第２の輝度設定方法と、
を含む複数の輝度設定方法の中から１の輝度設定方法を選択して設定する、
ことを特徴とする請求項１乃至９のうち何れか１項に記載の撮像装置。
【請求項１１】
表示部のバックライトの輝度を設定する撮像装置が実行するバックライト設定方法であって、
撮像部により被写体の撮像画像を撮像する撮影モードと、前記撮像部による撮像動作を停止し前記撮像部により撮像された前記被写体を表示部で表示する再生モードと、を少なくとも含む複数の動作モードのうち１の動作モードに切り替えるモード切替ステップと、
前記被写体を前記表示部で表示する場合に、前記表示部のバックライトの輝度を設定するバックライト制御ステップと、
を含み、
前記バックライト制御ステップは、
前記モード切替ステップにより動作モードが前記再生モードに切り替えられた場合には、前記撮像部により撮像された被写体の撮像画像のデータから特定される明るさ情報に基づいて、前記表示部のバックライトの輝度を設定する
ステップを含むことを特徴とするバックライト設定方法。
【請求項１２】
表示部のバックライトの輝度を設定するコンピュータを、
撮像手段により被写体の撮像画像を撮像する撮影モードと、前記撮像手段による撮像動作を停止し前記撮像手段により撮像された前記被写体を表示手段で表示する再生モードと、を少なくとも含む複数の動作モードのうち１の動作モードに切り替えるモード切替手段、
前記被写体を前記表示手段で表示する場合に、前記表示手段のバックライトの輝度を設定するバックライト制御手段、
として機能させ、
前記バックライト制御手段として、
前記モード切替手段により動作モードが前記再生モードに切り替えられた場合には、前記撮像手段により撮像された被写体の撮像画像のデータから特定される明るさ情報に基づいて、前記表示手段のバックライトの輝度を設定する
ように機能させることを特徴とするプログラム。
【発明の詳細な説明】
【技術分野】
【０００１】
本発明は、撮像装置、バックライト設定方法及びプログラムに関する。
【背景技術】
【０００２】
従来より、表示部を含む撮像装置が広く普及している。このような撮像装置は、撮像画像を、記録用の撮像指示が行われる前からライブビュー画像として表示部に表示させたり、記録後の任意のタイミングで再生して表示部に表示させる。
【０００３】
このような撮像画像の視認性を高めるべく、表示部のバックライトの明るさ（輝度）を、バックライト制御専用の光センサを新たに設けることなく、撮像装置が通常行っている露出計測のためのＬＶ（光量：Ｌｉｇｈｔ  ｖａｌｕｅ）値に応じて変化させる技術が知られている（例えば、特許文献１参照）。
【先行技術文献】
【特許文献】
【０００４】
【特許文献１】特開平９−６５１８１号公報
【発明の概要】
【発明が解決しようとする課題】
【０００５】
しかしながら、特許文献１を含む従来の撮像装置は、撮像時には、ＬＶ値によりバックライトの明るさを変化させることができるものの、再生時には、露出計測が行われずにＬＶ値が不明のため、バックライトの明るさを固定にしていた。
この場合、再生時において、暗い環境での周囲の環境と表示部の輝度とのギャップを少なくするためにバックライトの明るさが暗めに固定されると、明るい環境でユーザの視認性が悪くなってしまう。
一方で、再生時において、明るい環境での視認性を重視してバックライトの明るさが明るめに固定されると、夜景撮影等の暗い環境で明るくなりすぎて、ユーザが眩しく感じてしまう。
このように、特許文献１を含む従来の撮像装置は、再生時において、周囲の環境に適したバックライトの明るさの設定を行うことができなかった。
【０００６】
本発明は、このような状況に鑑みてなされたものであり、画像の再生時において、より効果的に表示部のバックライトを設定できる撮像装置を提供することを目的とする。
【課題を解決するための手段】
【０００７】
上記目的を達成するため、本発明の一態様の撮像装置は、
撮像手段により被写体の撮像画像を撮像する撮影モードと、前記撮像手段による撮像動作を停止し前記撮像手段により撮像された前記被写体を表示手段で表示する再生モードと、を少なくとも含む複数の動作モードのうち１の動作モードに切り替えるモード切替手段と、
前記被写体を前記表示手段で表示する場合に、前記表示手段のバックライトの輝度を設定するバックライト制御手段と、
を備え、
前記バックライト制御手段は、
前記モード切替手段により動作モードが前記再生モードに切り替えられた場合には、前記撮像手段により所定のタイミングで撮像された被写体の撮像画像のデータから特定される明るさ情報に基づいて、前記再生モードが設定されている期間における前記表示手段のバックライトの輝度を設定する、
ことを特徴とする。
【発明の効果】
【０００８】
本発明によれば、画像の再生時において、より効果的に表示部のバックライトを設定できる撮像装置を提供することができる。
【図面の簡単な説明】
【０００９】
【図１】本発明の第１実施形態に係る撮像装置の外観構成を示す平面図である。
【図２】撮影モード時における、机上等に立設された図１の撮像装置の外観構成を示す斜視図である。
【図３】再生モード時における、机上等に立設された図１の撮像装置の外観構成を示す斜視図である。
【図４】図１の撮像装置のハードウェアの構成を示すブロック図である。
【図５】図４の撮像装置が有する機能のうち、バックライト制御処理の実行機能を発揮させる機能的構成を示す機能ブロック図である。
【図６】図５の機能的構成を有する画像処理装置が実行する、第１実施形態に係るバックライト制御処理の流れを説明するフローチャートである。
【図７】図５の機能的構成を有する画像処理装置が実行する、第２実施形態に係るバックライト制御処理の流れを説明するフローチャートである。
【図８】図５の機能的構成を有する画像処理装置が実行する、第３実施形態に係るバックライト制御処理の流れを説明するフローチャートである。
【発明を実施するための形態】
【００１０】
以下、本発明の一実施形態を図面に基づいて説明する。
【００１１】
［第１実施形態］
図１は、本発明の第１実施形態に係る撮像装置の外観構成を示す平面図である。
詳しくは、図１（Ａ）は、撮像面と表示面とを対向する面にそれぞれ配置させた場合の撮像装置の外観構成を示す平面図である。
図１（Ｂ）は、撮像面と表示面とを同一面に配置させた場合の撮像装置の外観構成を示す平面図である。
【００１２】
撮像装置１は、例えばデジタルカメラにより構成され、その動作モードとしては、撮像部（本実施形態では後述の図４の撮像部２２）に被写体の撮像画像を撮像させるモード（以下、「撮影モード」と呼ぶ）と、撮像部による撮像動作を停止した状態で撮像部により過去に撮像された撮像画像の被写体を表示部に表示させる再生モードと、を少なくとも含む複数の動作モードを有している。
そして、撮像装置１は、撮影モード時には、ユーザによるシャッタタイミングを指示する所定の操作に基づいて、当該ユーザを被写体として撮像して、その結果得られる撮像画像のデータを記録することができる。このように、撮像画像のデータの記録は、ユーザによる所定の操作が行われたことがトリガとなって行われる。そこで、以下、このような記録のトリガとなる操作を、「撮像記録指示」と呼ぶ。
ここで、本実施形態では、表示部２１として液晶型表示装置が採用されており、その背面（表示面との対向面）にはバックライト（本実施形態では後述の図４のバックライト部５０）が配置されている。このバックライトの明るさ（輝度）は、撮像部２２により撮像された撮像画像のデータから特定される明るさ情報に基づいて設定される。そこで、このようなバックライトの明るさ（輝度）の設定を行う一連の処理を、以下、「バックライト制御処理」と呼ぶ。
なお、ここで言うバックライトの明るさ（輝度）とは、表示対象となる表示対象データ（画像データ）で指定される色や明るさの情報に基づいて決定される表示部の明るさ（輝度）とは別に、個々の表示対象データ（画像データ）で指定される色や明るさの情報とは独立して決定される全ての表示対象データ（画像データ）に共通した表示部の明るさ（輝度）のことである。本実施形態では、表示部２１として液晶型表示装置が採用された例で説明しているが、例えば、有機ＥＬディスプレイ等の、表示素子そのものが発光するためにバックライト部を必要としない表示デバイスを用いる場合であっても、このような表示素子を用いて上記のようなバックライトの明るさ（輝度）の設定を機能的に実現することができる。
【００１３】
撮像装置１は、バックライト制御処理を実行すべく、カメラ本体１１と、表示部本体１２と、フレーム本体１３と、を備えている。
カメラ本体１１は、平面形状五角形の短柱状に形成され、図１（Ａ）に示すように、カメラ本体１１の裏面は、平坦に形成され、図１（Ｂ）に示すように、カメラ本体１１の表面は、撮像部２２の撮像面（撮像レンズ側の面）が配置されている。即ち、カメラ本体１１は、撮像部２２を内蔵する筐体である。
カメラ本体１１は、貫通して配置された回動軸Ａを回動中心として表示部本体１２に対し回動可能に軸支される。
また、カメラ本体１１は、回動軸Ａに対し直交方向に配置され貫通して配置された回動軸Ｂを回動中心としてフレーム本体１３に対し回動可能に軸支される。
より具体的には、カメラ本体１１は、カメラ本体１１の五角形の外形のうちの一の辺を表示部本体１２に摺接しながら、回動軸Ａを中心として回動し得るように構成される。
【００１４】
なお、以下、撮像装置１のうち、カメラ本体１１が設置されている側（図１の左側）を「カメラ側」と呼び、表示部本体１２が設置されている側（図１の右側、即ち、特にカメラ本体１１に対向する側と反対側）を「表示部側」と呼ぶ。
【００１５】
表示部本体１２は、平面形状略矩形に形成され、その表面の中央には矩形状の表示部２１の表示面が配置されている。即ち、表示部本体１２は、表示部２１を内蔵する筐体である。
【００１６】
フレーム本体１３は、底辺と、該底辺部の両端において該底辺部に対し略直交方向に延設された平行する２本の腕と、により平面形状略コ字状に形成されている。
フレーム本体１３の底辺は、フレーム本体１３を構成する２本の腕が延設されている方向とは逆方向（表示部側）にＶ字状に突出して形成されている。
【００１７】
フレーム本体１３は、カメラ本体１１と、回動軸Ｂを回動中心として回動可能に接続されている。換言すると、カメラ本体１１は、フレーム本体１３の２本の腕の先端間に配置された回動軸Ｂを回動中心として、回動可能に軸支される。
従って、カメラ本体１１は、その五角形の外形のうち対向する２辺をフレーム本体１３の２本の腕に当接した状態でフレーム本体１３と軸支している。このため、カメラ本体１１は、該対向する２辺をフレーム本体１３の２本の腕にそれぞれ摺接させながら回動することができる。
【００１８】
このように、カメラ本体１１は、フレーム本体１３に対し回動可能に軸支されているため、撮像部２２の撮像面が配置されている表面の向きを自在に変えることができる。即ち、ユーザは、カメラ本体１１を回動させることで、図１（Ａ）に示すように撮像部２２の撮像面を紙面に対し奥側に配置させたり、図１（Ｂ）に示すように撮像部２２の撮像面を紙面に対し手前側に配置させることができる。
従って、ユーザは、被写体が奥側に存在する場合には、回動軸Ｂを中心としてカメラ本体１１を回動して図１（Ａ）の状態することで、奥側の被写体を撮像部２２に撮像させることができる。
これに対して、ユーザは、自己を被写体として撮像する（以下、適宜「自分撮り」と呼ぶ）場合等、被写体が手前側に存在する場合には、回動軸Ｂを中心としてカメラ本体１１を回動して図１（Ｂ）の状態にすることで、手前側の被写体を撮像部２２に撮像させることができる。
【００１９】
図２は、撮影モード時における、机上等に立設された撮像装置１の外観構成を示す斜視図である。
ユーザＵは、自分撮りをする場合等には、先ず、図２に示すように、表示部２１による表示方向と撮像部２２による撮像方向とを略一致させた状態で、カメラ本体１１とフレーム本体１３とが所定角度拡開するように変形した状態の撮像装置１を、机上等に立設させる。
ここで、表示部２１による表示方向とは、表示部２１の表示面の法線の方向であって、当該表示面から光（各画素から発光される光）が射出される方向をいう。撮像部２２による撮像方向とは、撮像部２２の撮像面の法線の方向（即ち光軸の方向）であって、当該撮像面から被写体に向かう方向をいう。
【００２０】
このように、フレーム本体１３を構成する突出したＶ字状の底辺の先端と、表示部本体１２の端部とが、本実施形態の撮像装置１における台座として機能する。この台座が机上の面に当接され、フレーム本体１３と表示部本体１２とが回動軸Ｂを介して互いに軸支されることにより、撮像装置１は机上等に立設する。
ユーザＵは、このように撮像装置１を机上等に立設させると、次に、撮像部２２の撮像面と対向し、表示部２１全体を視認できる程度まで離間した位置に移動する。
すると、図２に示すように、ユーザＵが撮像部２２により逐次撮像され、そのライブビュー画像ＧＵが表示部２１に表示される。
【００２１】
ここで、撮像装置１の動作モードが撮影モードに切り替えられている場合に表示されるライブビュー画像ＧＵについて説明する。
撮像装置１は、動作モードが撮影モードに切り替えられると、先ず、撮像部２２による被写体（図２の例ではユーザＵ）の撮像動作を継続させる。そして、撮像装置１は、撮像部２２による被写体の撮像動作が継続されている間、当該撮像部２２から順次出力される撮像画像（フレーム）のデータを、メモリ（本実施形態では後述の図４の記憶部４７）に一時的に記憶させる。このような一連の制御処理を、以下「ライブビュー撮像処理」と呼ぶ。
また、撮像装置１は、ライブビュー撮像処理時にメモリに一時的に記録された各データを順次読み出して、各々に対応する撮像画像（フレーム）を表示部２１に順次表示させる。このような一連の制御処理を、以下「ライブビュー表示処理」と呼ぶ。
このようなライブビュー撮像処理及びライブビュー表示処理の結果として、表示部２１に表示される撮像画像が、ライブビュー画像ＧＵである。
【００２２】
ユーザＵは、このようなライブビュー画像ＧＵを見ながら、シャッタイミングをはかる。そして、ユーザは、所望のシャッタタイミングで撮像記録指示を出す。
撮像装置１は、撮像記録指示の直後に撮像部２２から出力された撮像画像（フレーム）のデータを、保存用のメモリ（本実施形態では後述の図４のリムーバブルメディア６１）に記録させる。
なお、撮像記録指示がなされた後の撮像装置１の撮影の動作、即ち保存用の撮影の動作を、ライブビュー画像の撮影の時と明確に区別すべく、以下、「本撮影」と呼ぶ。
【００２３】
図３は、再生モード時における、机上等に立設された撮像装置１の外観構成を示す斜視図である。
表示部２１による被写体の表示は、ユーザによる所定の操作が行われ、撮像装置１の動作モードが再生モードに切り替えられたことがトリガとなって行われる。そこで、以下、このような表示のトリガとなる操作を、「再生指示」と呼ぶ。
ユーザＵは、このように撮像装置１を机上等に立設させ、表示部２１全体を視認できる程度まで離間した位置に位置する。そして、ユーザは、所定の操作をして、再生対象の撮像画像を選択して、その再生指示を行う。すると、図３に示すように、再生対象として選択された撮像画像ＧＢが表示部２１に表示される。
【００２４】
本実施形態では、撮像装置１は、バックライト制御処理を実行するに際し、動作モードが撮影モードである場合には、撮像部２２により撮像された撮像画像のデータから特定される明るさ情報に基づいて、表示部２１のバックライトの輝度を設定する。即ち、撮影モード時には、露出の調整に用いられる撮像画像のデータに含まれる明るさ情報に基づいて、表示部２１のバックライトの輝度が設定される。
一方、撮像装置１は、バックライト制御処理を実行するに際し、動作モードが再生モードである場合には、撮影モード時に撮像された撮像画像のデータから特定される明るさ情報に基づいて、表示部２１のバックライトの輝度を設定する。即ち、再生モード時には、撮影モード時に露出の調整に用いられた撮像画像のデータに含まれる明るさ情報に基づいて、表示部２１のバックライトの輝度が設定される。
本実施形態では、このようにして、バックライト制御処理が撮像装置１により実行される。
【００２５】
図４は、このようなバックライト制御処理を実行可能な撮像装置１のハードウェアの構成を示すブロック図である。
【００２６】
撮像装置１は、上述した表示部２１及び撮像部２２に加えてさらに、ＣＰＵ（Ｃｅｎｔｒａｌ  Ｐｒｏｃｅｓｓｉｎｇ  Ｕｎｉｔ）４１と、ＲＯＭ（Ｒｅａｄ  Ｏｎｌｙ  Ｍｅｍｏｒｙ）４２と、ＲＡＭ（Ｒａｎｄｏｍ  Ａｃｃｅｓｓ  Ｍｅｍｏｒｙ）４３と、バス４４と、入出力インターフェース４５と、操作部４６と、記憶部４７と、通信部４８と、ドライブ４９と、バックライト部５０とを備えている。
【００２７】
ＣＰＵ４１は、ＲＯＭ４２に記録されているプログラム、又は、記憶部４７からＲＡＭ４３にロードされたプログラムに従って各種の処理を実行する。
【００２８】
ＲＡＭ４３には、ＣＰＵ４１が各種の処理を実行する上において必要なデータ等も適宜記憶される。
【００２９】
ＣＰＵ４１、ＲＯＭ４２、及びＲＡＭ４３は、バス４４を介して相互に接続されている。このバス４４にはまた、入出力インターフェース４５も接続されている。入出力インターフェース４５には、表示部２１、撮像部２２、操作部４６、記憶部４７、通信部４８、ドライブ４９、及びバックライト部５０が接続されている。
【００３０】
表示部２１は、本実施形態では、撮像画像を含め各種画像を表示可能な液晶型表示装置により構成される。
【００３１】
撮像部２２は、図示はしないが、光学レンズ部と、イメージセンサと、を備えている。
【００３２】
光学レンズ部は、被写体を撮影するために、光を集光するレンズ、例えばフォーカスレンズやズームレンズ等で構成される。
フォーカスレンズは、イメージセンサの受光面に被写体像を結像させるレンズである。ズームレンズは、焦点距離を一定の範囲で自在に変化させるレンズである。
光学レンズ部にはまた、必要に応じて、焦点、露出、ホワイトバランス等の設定パラメータを調整する周辺回路が設けられる。
【００３３】
イメージセンサは、光電変換素子や、ＡＦＥ（Ａｎａｌｏｇ  Ｆｒｏｎｔ  Ｅｎｄ）等から構成される。
光電変換素子は、例えばＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）型の光電変換素子等から構成される。光電変換素子には、光学レンズ部から被写体像が入射される。そこで、光電変換素子は、被写体像を光電変換（撮像）して画像信号を一定時間蓄積し、蓄積した画像信号をアナログ信号としてＡＦＥに順次供給する。
ＡＦＥは、このアナログの画像信号に対して、Ａ／Ｄ（Ａｎａｌｏｇ／Ｄｉｇｉｔａｌ）変換処理等の各種信号処理を実行する。各種信号処理によって、ディジタル信号が生成され、撮像部２２の出力信号として出力される。
このような撮像部２２の出力信号が、撮像画像のデータであり、ＣＰＵ４１等に適宜供給される。
【００３４】
操作部４６は、例えば、図示せぬシャッタボタン等の各種釦により構成され、撮像装置１の動作モードの切り換えを含むユーザの指示操作を受け付ける。
記憶部４７は、ＤＲＡＭ（Ｄｙｎａｍｉｃ  Ｒａｎｄｏｍ  Ａｃｃｅｓｓ  Ｍｅｍｏｒｙ）等で構成され、ライブビュー画像等の各種画像のデータを記憶する。また、記憶部４７は、撮像装置１（被写体）の明るさと、バックライト部５０の明るさ（輝度）との対応関係を示すデータを記憶する。
通信部４８は、インターネットを含むネットワークを介して他の装置との間で行う通信を制御する。
【００３５】
ドライブ４９には、磁気ディスク、光ディスク、光磁気ディスク、或いは半導体メモリ等よりなる、リムーバブルメディア６１が適宜装着される。ドライブ４９によってリムーバブルメディア６１から読み出されたプログラムは、必要に応じて記憶部４７にインストールされる。また、リムーバブルメディア６１は、記憶部４７に記憶されている画像のデータ等の各種データも、記憶部４７と同様に記憶することができる。
なお、本撮影時の撮像画像のデータは、記憶部４７に当然記憶され得るが、ライブビュー画像のデータの一次的な記憶と明確に区別すべく、本実施形態ではリムーバブルメディア６１に記憶されるものとする。
【００３６】
バックライト部５０は、例えば本実施形態では、ＬＥＤ（Ｌｉｇｈｔ  Ｅｍｉｔｔｉｎｇ  Ｄｉｏｄｅ）を光源として、導光板を介して表示部２１の液晶を背面から照明する。
バックライト部５０からの光の輝度は、上述したように、自在に可変設定ができるものとされている。
なお、バックライト部５０は、光の輝度が可変設定できるものであれば足り、光源もＬＥＤに限定されずその他冷極陰管が採用されてもよいし、また、方式もエッジライト方式に限定されずその他直下型方式が採用されてもよい。
ただし、本実施形態では、バックライト部５０の光源として、ＲＧＢの各ＬＥＤが採用されおり、バックライト部５０からの光の輝度に加えてさらに、色合いも自在に可変設定ができるものとされている。
【００３７】
図５は、このようなハードウェア構成の撮像装置１が有する機能のうち、バックライト制御処理の実行機能を発揮させる機能的構成を示す機能ブロック図である。
【００３８】
バックライト制御処理が実行される場合、ＣＰＵ４１においては、主制御部７１と、撮像制御部７２と、スイッチ７３と、表示制御部７４と、記録／再生制御部７５と、モード切替部７６と、明るさ検出部７７と、バックライト制御部７８とが機能する。
【００３９】
主制御部７１は、撮像装置１全体の動作、特にバックライト制御処理の実行時の動作を制御する。
撮像制御部７２は、撮像部２２による撮像の動作を制御する。即ち、撮像部２２は、撮像制御部７２の制御に基づいて、被写体を撮像（露光）して、その撮像画像のデータを出力する。
【００４０】
スイッチ７３は、モード切替部７６により動作モードを切り替えるスイッチである。スイッチ７３は、モード切替部７６により撮像装置１の動作モードが撮影モードに切り替えられている場合、撮像部２２により撮像された撮像画像のデータを、ライブビュー画像のデータとして表示制御部７４に供給する。一方で、スイッチ７３は、モード切替部７６により撮像装置１の動作モードが再生モードに切り替えられている場合、リムーバブルメディア６１に記録されている画像（主に過去に撮像された撮像画像）のデータを表示制御部７４に供給する。
【００４１】
表示制御部７４は、スイッチ７３からデータとして供給された画像を表示部２１に表示させる制御を実行する。即ち、表示制御部７４は、撮像装置１の動作モードが撮影モードに切り替えられている場合、ライブビュー画像を表示部２１に表示させる制御を実行する。一方で、表示制御部７４は、撮像装置１の動作モードが再生モードに切り替えられている場合、リムーバブルメディア６１に記録されていた画像を表示部２１に表示させる制御を実行する。
上述の実施形態では、再生モード時に表示部２１に表示される画像は、リムーバブルメディア６１に記録されていた画像とされているが、特にこれに限定されない。例えば、表示制御部７４は、記憶部４７に記憶されている画像や、通信部４８を介して接続される図示せぬサーバに記憶されている画像を表示部２１に表示させる制御を実行することができる。
【００４２】
記録／再生制御部７５は、動作モードが撮影モードである場合には、撮像記録指示がなされると機能し、当該撮像記録指示の後に撮像部２２から出力された撮像画像のデータ、即ち本撮影時の撮像画像のデータを、保存用のデータとしてリムーバブルメディア６１に記録させる制御を実行する。また、記録／再生制御部７５は、動作モードが再生モードである場合には、再生指示がなされると機能し、リムーバブルメディア６１に記憶されている画像のデータを再生用のデータとしてスイッチ７３を介して表示制御部７４へ供給する。
【００４３】
モード切替部７６は、ユーザの操作部４６に対する所定の操作により、撮影モードと再生モードとを少なくとも含む複数の動作モードの中から、所定の動作モードに自在に切り替える。モード切替部７６は、ユーザの操作部４６に対する所定の操作により撮影モードが選択された場合には、動作モードを撮影モードに切り替えると共に、スイッチ７３の出力を撮像部２２側に切り替える。一方で、モード切替部７６は、ユーザの操作部４６に対する所定の操作により再生モードが選択された場合には、動作モードを再生モードに切り替えると共に、スイッチ７３の出力をリムーバブルメディア６１側に切り替える。
【００４４】
明るさ検出部７７は、動作モードが撮影モードである場合には、撮像部２２により撮像された撮像画像（ライブビュー画像）を構成する各画素のデータ（輝度値）を積分することで、外部光又は被写体光の明るさ（輝度）を検出（計測）する。そして、明るさ検出部７７は、検出（計測）した明るさ（輝度）を撮像装置１（被写体）の周囲の明るさを示す明るさ情報として特定する。明るさ検出部は、動作モードが撮影モードである場合には、特定された明るさ情報を撮像制御部７２及びバックライト制御部７８へ供給する。
また、明るさ検出部７７は、動作モードが再生モードである場合には、リムーバブルメディア６１に記憶されている画像を構成する各画素のデータ（輝度値）を積分することで、外部光又は被写体光の明るさ（輝度）を検出（計測）する。そして、明るさ検出部７７は、検出（計測）した明るさ（輝度）を明るさ情報として特定する。明るさ検出部は、動作モードが再生モードである場合には、特定された明るさ情報をバックライト制御部７８へ供給する。
【００４５】
バックライト制御部７８は、撮像装置１（被写体）の周囲の光が表示部２１に表示される際に与える影響を考慮して、表示部２１に表示される画像の表示状態を制御すべく、バックライト部５０の輝度（明るさ）を設定する。具体的には、バックライト制御部７８は、モード切替部７６により動作モードが再生モードに切り替えられた場合には、撮像部２２により撮像された被写体の撮像画像のデータから特定される明るさ情報に基づいて、バックライト部５０の輝度（明るさ）を設定する。この場合、バックライト制御部７８は、モード切替部７６により再び撮影モードに切り替えられるまでの間、表示部２１のバックライト部５０の輝度を維持させる。
バックライト制御部７８は、バックライト部５０の輝度（明るさ）を設定する場合、記憶部４７に記憶されている輝度情報対応テーブルを用いる。輝度情報対応テーブルには、撮像装置１（被写体）の明るさと、バックライト部５０の明るさ（輝度）との対応関係が略比例関係となるように予め規定されている。
バックライト制御部７８は、明るさ検出部７７により検出された明るさ情報が明るいことを示している場合には、輝度情報対応テーブルに基づいて、バックライト部５０の明るさ（輝度）を上げる制御を実行する。これにより、明るい環境下においてもユーザの視認性を高くすることができる。
これに対して、バックライト制御部７８は、明るさ検出部７７により検出された明るさ情報が暗いことを示している場合には、輝度情報テーブルに基づいて、バックライト部５０の明るさ（輝度）を下げる制御を実行する。これにより、暗い環境下においても、ユーザが眩しく感じるようなことは防止できる。
ここで、バックライト部５０の設定としては、上述したように、主に輝度の設定がある。さらに本実施形態では、バックライト部５０の光源として、ＲＧＢの各ＬＥＤが採用されている。従って、色合いの設定も、バックライト部５０の設定に含まれる。即ち本実施形態では、バックライト制御部７８は、バックライト部５０の設定として、輝度と色合いの可変設定を相互に独立して自在に行うことができる。
【００４６】
次に、図６を参照して、図５の機能的構成を有する撮像装置１の動作について説明する。
図６は、図５の機能的構成を有する撮像装置１が実行する、第１実施形態に係るバックライト制御処理の流れを説明するフローチャートである。
なお、図６の例では、説明の便宜上、撮影モードと再生モードとの２種類の動作モードのみが存在するものとされている。
第１実施形態に係る撮像記録指示によるバックライト制御処理は、例えば撮像装置１の電源が投入されて所定の条件を満たすと開始され、次のような一連の処理が実行される。
【００４７】
ステップＳ１において、図５の主制御部７１は、何れの動作モードであるかを判定する。
動作モードが再生モードの場合、処理はステップＳ２１に進む。ただし、ステップＳ２１以降の処理については後述する。
これに対して、動作モードが撮影モードの場合、処理はステップＳ２に進む。
ステップＳ２において、撮像制御部７２は、撮像時の露出条件を初期設定（仮設定）する。
【００４８】
ステップＳ３において、バックライト制御部７８は、表示部２１のバックライト輝度（バックライト部５０の輝度）を初期設定（仮設定）する。具体的には例えば、バックライト制御部７８は、バックライト部５０の明るさ（輝度）を、予め設定されている所定の初期値に設定する。
【００４９】
ステップＳ４において、撮像制御部７２は、ライブビュー表示用の撮像を行うべく、上述したライブビュー撮像処理及びライブビュー表示処理を実行する。
【００５０】
ステップＳ５において、明るさ検出部７７は、ステップＳ４において撮像された撮像画像（ライブビュー画像）の明るさと、ステップＳ２において初期設定された露出条件とに基づいて、被写体の明るさ（明るさ情報）を特定する。
【００５１】
ステップＳ６において、明るさ検出部７７は、ステップＳ５において特定された被写体の明るさ（明るさ情報）で、最後に計測した被写体の明るさ情報を更新する。
具体的には例えば、明るさ検出部７７は、ライブビュー撮像処理により順次出力される複数の撮像画像（フレーム）のうち、最後に出力された撮像画像（フレーム）に基づき検出された明るさ情報を、現在の明るさ情報として更新する。そして、明るさ検出部７７は、更新した明るさ情報を記憶部４７に記憶（上書き保存）する。
【００５２】
ステップＳ７において、撮像制御部７２は、ステップＳ５において特定された被写体の明るさ（明るさ情報）に基づいて、露出条件（撮像条件）を適正な露出条件に更新する。
ステップＳ８において、バックライト制御部７８は、ステップＳ５において特定された被写体の明るさを撮像装置１周囲の明るさとみなして、バックライト輝度（バックライト部５０の輝度）を適正な輝度に更新する。
このように、モード切替部７６により操作モードが撮影モードに切り替えられた場合には、ステップＳ５において特定された被写体の明るさ（明るさ情報）に基づいて、撮像部２２の撮像条件と、表示部２１のバックライト部５０の輝度の両方が変化される。
【００５３】
ステップＳ９において、主制御部７１は、動作モードの切り替え操作があるか否かを判定する。
動作モードの切り替え操作がある場合には、ステップＳ９においてＹＥＳであると判定されて、処理はステップＳ１に戻され、それ以降の処理が繰り返される。即ち、動作モードが再生モードに切り替えられた場合には、処理はステップＳ１に戻された後、処理はステップＳ２１に進み、後述する一連の処理が実行される。
これに対して、動作モードの切り換え操作がない場合には、即ち動作モードとして撮影モードが維持されている場合には、ステップＳ９においてＮＯであると判定されて、処理はステップＳ１０に進む。
【００５４】
ステップＳ１０において、撮像制御部７２は、本撮影（記録）の指示があるか否かを判定する。
本撮影（記録）の指示がない場合には、ステップＳ１０においてＮＯであると判定されて、処理はステップＳ４に戻される。即ち、本撮影（記録）の指示があるまでの間、動作モードが撮影モードを維持している限り、ステップＳ４乃至１０の処理が繰り返し行実行される。
これに対して、本撮影（記録）の指示がある場合には、ステップＳ１０においてＹＥＳであると判定されて、処理はステップＳ１１に進む。
ステップＳ１１において、撮像制御部７２は、本撮影を行って撮像画像を記録する。この処理が終了すると、処理はステップＳ４に戻され、それ以降の処理が繰り返される。
【００５５】
以上、動作モードが撮影モードの場合におけるバックライト制御処理について説明した。次に、動作モードが再生モードの場合におけるバックライト制御処理について説明する。この場合、ステップＳ１において、動作モードが再生モードであると判定されて、処理はステップＳ２１に進み、以下のような一連の処理が実行される。
即ち、ステップＳ２１において、バックライト制御部７８は、最後に計測（検出）した被写体の明るさ情報に基づいて、バックライト輝度を設定する。具体的には例えば、バックライト制御部７８は、ステップＳ６において更新された「最後に計測した被写体の明るさ情報」に基づいて、バックライト輝度を設定する。このようにして、バックライト制御部７８は、動作モードが撮影モードから再生モードに切り替えられる直前に撮像された撮像画像から特定される、撮像装置１（被写体）の明るさに基づいて、バックライト部５０の輝度（明るさ）を設定することができる。
【００５６】
ステップＳ２２において、主制御部７１は、ユーザの操作部４６の操作に基づき選択された再生対象となる撮像画像を選択する。
ステップＳ２３において、表示制御部７４は、ステップＳ２２において選択された撮像画像を再生表示する。
ステップＳ２４において、主制御部７１は、動作モードの切り替え操作があるか否かを判定する。
動作モードの切り替え操作がある場合には、ステップＳ２４においてＹＥＳであると判定されて、処理はステップＳ１に戻される。即ち、動作モードが撮影モードに切り替えられた場合には、ステップＳ１に戻された後、処理はＳ２１乃至２４の処理が繰り返し行われる。
これに対して、動作モードの切り替え操作がない場合、即ち再生モードが維持されている場合、ステップＳ２４においてＮＯであると判定されて、処理はステップＳ２２に戻され、その結果として、ステップＳ２２乃至２４の処理が繰り返し行われる。
なお、電源がオフされる等して動作モードの終了が選択された場合、ステップＳ１において終了であると判定されて、バックライト制御処理は終了となる。
【００５７】
以上説明したように、第１実施形態の撮像装置１は、モード切替部７６と、バックライト制御部７８と、を備える。
モード切替部７６は、撮像部２２により被写体の撮像画像を撮像する撮影モードと、撮像部２２による撮像動作を停止し撮像部２２により撮像された撮像画像の被写体を表示部２１で表示する再生モードと、を少なくとも含む複数の動作モードのうち１の動作モードに切り替える。
バックライト制御部７８は、被写体を表示部２１で表示する場合に、表示部２１のバックライト部５０の輝度を設定する。そして、バックライト制御部７８は、モード切替部７６により動作モードが再生モードに切り替えられた場合には、撮像部２２により所定のタイミングで撮像された被写体の撮像画像のデータから特定される明るさ情報に基づいて、再生モードが設定されている期間における表示部２１のバックライト部５０の輝度を設定する。
これにより、撮像画像の再生時において、より効果的に撮像装置１の表示部２１のバックライトの輝度を設定することができる。
【００５８】
第１実施形態の撮像装置１のバックライト制御部７８は、モード切替部７６により動作モードが撮影モードから再生モードに切り替えられる直前に撮像部２２により撮像された撮像画像のデータから特定される明るさ情報に基づいて、表示部２１のバックライト部５０の輝度を設定する。
これにより、撮像動作を停止した直後の撮像装置１の周囲の環境に適したバックライトの輝度に設定することができる。
【００５９】
第１実施形態の撮像装置１のバックライト制御部７８は、モード切替部７６により再び撮影モードに切り替えるまでの間、表示部２１のバックライト部５０の輝度を維持する。
これにより、被写体の撮像画像を撮像していない間であっても、撮像装置１の周囲の環境に適したバックライトの輝度に設定することができる。
【００６０】
第１実施形態の撮像装置１は、モード切替部７６により撮影モードに切り替えられた場合に、ライブビュー表示用に逐次撮像される撮像画像のデータから特定される明るさ情報に基づいて、撮像部２２により撮像される撮像条件と、表示部２１のバックライト部５０の輝度の両方を変化させる。
これにより、ライブビュー表示用の撮像画像のデータから特定される明るさ情報に基づいて、撮像条件のみならずバックライト部５０の輝度を変化することができ、別途輝度センサ等を必要とせず部品コストの低減を図ることができる。
【００６１】
第１実施形態の撮像装置１は、撮像部２２により撮像された被写体の撮像画像のデータから特定される明るさ情報と、バックライト制御部７８により設定される表示部２１のバックライト部５０の輝度と、の対応関係を予め規定する。
これにより、様々な明るさの被写体の撮像画像に対応してバックライト部５０の輝度を設定することができる。
以上、第１実施形態について説明した。次に、第２実施形態について説明する。
【００６２】
［第２実施形態］
第２実施形態に係る撮像装置１は、第１実施形態に係るものと基本的に同様のハードウェア構成を取ることができる。従って、図４は、第２実施形態に係る撮像装置１のハードウェアの構成を示すブロック図でもある。
また、第２実施形態に係る撮像装置１は、第１実施形態に係るものと基本的に同様の機能的構成を取ることができる。従って、図５は、第２実施形態に係る撮像装置１の機能的構成を示す機能ブロック図でもある。
このため、ここでは、図４と図５の説明及び第１実施形態と同様な個所については説明を省略し、以下、第１実施形態とは異なる点についてのみ説明する。
【００６３】
上述した第１実施形態では、動作モードが撮影モードから再生モードに切り替えられる直前に撮像された撮像画像から特定される撮像装置１（被写体）の明るさに基づいてバックライト部５０の輝度が設定された。
これに対して、第２実施形態では、動作モードが撮影モードから再生モードに切り替えられる直前の所定時間内に撮像される撮像画像から特定される撮像装置１（被写体）の周囲の明るさの変化の範囲（以下、「明るさ範囲」と呼ぶ）を特定し、この特定された明るさ範囲内で対応するバックライト部５０の輝度が設定される。
従って、第２実施形態のバックライト制御部７８は、動作モードが撮影モードから再生モードに切り替えられる直前の所定時間内に撮像される撮像画像から特定される撮像装置１（被写体）の周囲の明るさ範囲を特定し、この特定された明るさ範囲内で対応するバックライト部５０の輝度が設定する。
より詳細には、バックライト制御部７８は、動作モードが再生モードに切り替えられる直前に撮像された所定数分の撮像画像の被写体を、再生モードに切り替えられる直前の所定時間内に撮像された撮像画像の被写体として、この複数の被写体の明るさ情報の明るさ範囲を特定する。この所定数分の撮像画像の被写体の明るさ情報は、ＦＩＦＯ（Ｆｉｒｓｔ  Ｉｎ，Ｆｉｒｓｔ  Ｏｕｔ）メモリに記憶されている。
バックライト制御部７８は、特定した明るさ範囲が所定以上であると判定した場合には、最後に撮像された撮像画像の被写体、即ち、ＦＩＦＯメモリ内の最後に記憶された被写体の明るさ情報に基づいてバックライト輝度を設定する。この場合、再生モードに切り替えられる直前の所定時間内（より正確には、直前に撮像された所定数分の撮像画像の被写体が撮像されていた時間内）では、撮像装置１（被写体）の周囲の明るさの変化量は少ないと考えられる。したがって、撮像装置１は、最後に撮像された撮像画像の被写体の明るさ情報に基づいてバックライト輝度を設定することができ、撮像装置１（被写体）の周囲の明るさに近い明るさに設定することができる。
これに対し、バックライト制御部７８は、特定した明るさ範囲が所定以上であると判定した場合には、直前に撮像された所定数分の撮像画像の被写体のうち最も明るい被写体、即ち、ＦＩＦＯメモリ内の最も明るい被写体の明るさ情報に基づいてバックライト輝度を設定する。この場合、再生モードに切り替えられる直前の所定時間内（より正確には、直前に撮像された所定数分の撮像画像の被写体が撮像されていた時間内）では、撮像装置１（被写体）の周囲の明るさの変化量は大きいと考えられる。したがって、撮像装置１は、最も明るい撮像画像の被写体の明るさ情報に基づいてバックライト輝度を設定することができ、明るさの変化量が多い環境下においても、ユーザの視認性を高めた明るさに設定することができる。
なお、バックライト制御部７８は、所定の動作モードの設定状態に応じてバックライト部５０の輝度を設定する。より詳細には、バックライト制御部７８は、撮像装置１の電力を消費を抑える省電力モードが設定されている場合には、再生モードに切り替える直前に撮像された所定数分の撮像画像の被写体のうち最も暗い被写体、即ち、ＦＩＦＯメモリ内の最も暗い被写体の明るさ情報に基づいてバックライト輝度を設定する。これにより、撮像装置１は、最も暗い撮像画像の被写体の明るさ情報に基づいてバックライト輝度を設定することができ、消費電力を抑えつつ、ユーザの視認性を確保した明るさに設定することができる。
【００６４】
次に、図７を参照して、このような第２実施形態の撮像装置１の動作の詳細として、第２実施形態に係るバックライト制御処理について説明する。
図７は、図４の機能的構成を有する撮像装置１が実行する、第２実施形態に係るバックライト制御処理の流れを説明するフローチャートである。
第２実施形態に係るバックライト制御処理は、例えば撮像装置１の電源が投入されて所定の条件を満たすと開始され、動作モードが撮影モードである場合には、第１実施形態とのステップＳ１乃至Ｓ５の処理（図６参照）と同様の処理としてステップＳ４１乃至Ｓ４５の処理が実行された後、次のような一連の処理が実行される。
【００６５】
ステップＳ４６において、明るさ検出部７７は、ステップＳ４５において特定した被写体の明るさ情報を所定数のＦＩＦＯメモリ（本実施形態においては、図４の記憶部４７）に追加して記憶する。この処理が終了すると、第１実施形態のステップＳ６乃至Ｓ１１の処理（図６参照）と同様のステップＳ４７乃至Ｓ５１の処理が実行される。
【００６６】
以上、動作モードが撮影モードの場合におけるバックライト制御処理について説明した。次に、動作モードが再生モードの場合におけるバックライト制御処理について説明する。この場合、ステップＳ４１において、動作モードが再生モードであると判定されて、処理はステップＳ６１に進み、以下のような一連の処理が実行される。
ステップＳ６１において、バックライト制御部７８は、ＦＩＦＯメモリ内に所定数分記憶されている明るさ情報の明るさ範囲を特定する。
【００６７】
ステップＳ６２において、バックライト制御部７８は、ステップＳ６１において特定された明るさ範囲は所定以上であるか否かを判定する。
特定された明るさ範囲は所定以上である場合にはステップＳ６２においてＹＥＳであると判定されて、処理はステップＳ６４に進む。ステップＳ６４以降の処理については、後述する。
これに対して、特定された明るさ範囲が所定未満の場合、ステップＳ６２においてＮＯであると判定されて、処理はステップＳ６３に進む。
【００６８】
ステップＳ６３において、バックライト制御部７８は、ＦＩＦＯメモリ内に最後に記憶された被写体の明るさ情報に基づいて、バックライト輝度を設定する。この処理が終了すると、処理はステップＳ６７に進む。ステップＳ６７以降の処理については、後述する。
【００６９】
ここで、上述したように、特定された明るさ範囲は所定以上である場合にはステップＳ６２においてＹＥＳであると判定されて、処理はステップＳ６４に進む。
ステップＳ６４において、バックライト制御部７８は、省電力モードが選択されているか否かを判定する。
省電力モードが選択されていない場合には、ステップＳ６４においてＮＯであると判定されて、処理はステップＳ６６に進む。ステップＳ６６以降の処理については、後述する。
これに対して、省電力モードが選択されている場合には、ステップＳ６４においてＹＥＳであると判定されて、処理はステップＳ６５に進む。
【００７０】
ステップＳ６５において、バックライト制御部７８は、ＦＩＦＯメモリ内の最も暗い被写体の明るさ情報に基づいてバックライト輝度を設定する。この処理が終了すると、処理はステップＳ６７に進む。ステップＳ６７以降の処理については、後述する。
【００７１】
ここで、上述したように、省電力モードが選択されていない場合には、ステップＳ６４においてＮＯであると判定されて、処理はステップＳ６６に進む。ステップＳ６６において、バックライト制御部７８は、ＦＩＦＯメモリ内の最も明るい被写体の明るさ情報に基づいてバックライト輝度を設定する。
【００７２】
上述したように、ステップＳ６３、Ｓ６５又はＳ６７の処理が終了すると、処理はステップＳ６７に進む。ステップＳ６７において、主制御部７１は、ユーザの操作部４６の操作に基づき選択された再生対象となる撮像画像を選択する。
ステップＳ６８において、表示制御部７４は、ステップＳ６７において選択された撮像画像を再生表示する。
【００７３】
ステップＳ６９において、主制御部７１は、動作モードの切り替え操作があるか否かを判定する。
動作モードの切り替え操作がある場合には、ステップＳ６９においてＹＥＳであると判定されて、処理はステップＳ４１に戻される。即ち、動作モードが撮影モードに切り替えられた場合には、ステップＳ４１に戻された後、処理はＳ４２乃至５１の処理が繰り返し行われる。
これに対して、動作モードの切り替え操作がない場合、即ち再生モードが維持されている場合、ステップＳ６９においてＮＯであると判定されて、処理はステップＳ６７に戻され、その結果として、ステップＳ６７乃至６９の処理が繰り返し行われる。
なお、電源がオフされる等して動作モードの終了が選択された場合、ステップＳ４１において終了であると判定されて、バックライト制御処理は終了となる。
【００７４】
以上説明したように、第２実施形態の撮像装置１のバックライト制御部７８は、モード切替部７６により撮影モードから再生モードに切り替えられる直前の所定時間内に撮像された撮像画像から特定される明るさ情報に基づき明るさの変化の範囲を特定し、この特定された明るさの変化の範囲内で対応する表示部２１のバックライト部５０の輝度を設定する。
これにより、最後に撮像された撮像画像の被写体の明るさ情報に基づいてバックライト輝度を設定することができ、撮像装置１（被写体）の周囲の明るさに近い明るさに設定することができる。
【００７５】
第２実施形態の撮像装置１のバックライト制御部７８は、特定された明るさの変化の範囲に対応するバックライト部５０の輝度の範囲内から、所定の動作モードの設定状態に応じてバックライト部５０の輝度を選択する。
これにより、各種動作モードの設定状態にかかわらず、バックライト部５０の輝度を最適な明るさに設定することができる。
【００７６】
第２実施形態の撮像装置１のバックライト制御部７８は、撮像装置１の消費電力を抑える省電力モードが設定されている場合は、特定された明るさの変化の範囲に対応するバックライト部５０の輝度の範囲内から、最も暗いバックライドの輝度を選択する。
これにより、最も暗い撮像画像の被写体の明るさ情報に基づいてバックライト輝度を設定することができ、消費電力を抑えつつ、ユーザの視認性を確保した明るさに設定することができる。
【００７７】
第２実施形態の撮像装置１のバックライト制御部７８は、特定された明るさの変化の範囲が所定未満である場合には、所定時間内の最後に撮像された撮像画像のデータから特定される明るさ情報に基づいてバックライト部５０の輝度を設定し、特定された明るさの変化の範囲が所定以上である場合には、所定時間内に撮像された撮像画像のデータから特定される明るさの変化の範囲に対応するバックライト部５０の輝度の範囲内から、所定の基準に基づいてバックライト部５０の輝度を設定する。
これにより、明るさの変化量が多い環境下においても、ユーザの視認性を高めた明るさに設定することができる。
以上、第２実施形態について説明した。次に、第３実施形態について説明する。
【００７８】
［第３実施形態］
第３実施形態に係る撮像装置１は、第１実施形態に係るものと基本的に同様のハードウェア構成を取ることができる。従って、図４は、第３実施形態に係る撮像装置１のハードウェアの構成を示すブロック図でもある。
また、第３実施形態に係る撮像装置１は、第１実施形態に係るものと基本的に同様の機能的構成を取ることができる。従って、図５は、第３実施形態に係る撮像装置１の機能的構成を示す機能ブロック図でもある。
このため、ここでは、図４と図５の説明及び第１実施形態と同様な個所については説明を省略し、以下、第１実施形態とは異なる点についてのみ説明する。
【００７９】
上述した第１実施形態では、動作モードが撮影モードから再生モードに切り替えられる直前に撮像された撮像画像から特定される撮像装置１（被写体）の明るさに基づいてバックライト部５０の輝度が設定された。
これに対して、第３実施形態では、再生モード時に選択された撮像画像に被写体の明るさ（又は露出条件）情報に基づいてバックライト部５０の輝度が設定される。
従って、第３実施形態の記録／再生制御部７５は、本撮影時の被写体の明るさ（又は露出条件）を示す情報（以下、「明るさ付加情報」と呼ぶ）を撮像画像のデータに対しＥｘｉｆ（Ｅｘｃｈａｎｇｅａｂｌｅ  Ｉｍａｇｅ  Ｆｉｌｅ  Ｆｏｒｍａｔ）形式の所定のファイルとして、付加してリムーバブルメディア６１に記憶する。
そして、第３実施形態のバックライト制御部７８は、ユーザの操作部４６の操作に基づき選択された撮像画像に、明るさ付加情報が付加されている場合には、第１の輝度設定方法により、付加されている明るさ付加情報に基づいてバックライト輝度を設定する。一方で、バックライト制御部７８は、ユーザの操作部４６の操作に基づき選択された撮像画像に、明るさ付加情報が付加されていない場合には、第２の輝度設定方法により、最後に計測した被写体の明るさ情報に基づいてバックライト輝度を設定する。したがって、撮像装置１は、再生対象となる画像に付加された明るさ付加情報に基づいてバックライト輝度を設定するができ、様々な明るさの撮像画像の被写体に合わせた明るさに設定することができる。
【００８０】
次に、図８を参照して、このような第３実施形態の撮像装置１の動作の詳細として、第３実施形態に係るバックライト制御処理について説明する。
図８は、図４の機能的構成を有する撮像装置１が実行する、第３実施形態に係るバックライト制御処理の流れを説明するフローチャートである。
第３実施形態に係るバックライト制御処理は、例えば撮像装置１の電源が投入されて所定の条件を満たすと開始され、動作モードが撮影モードである場合には、第１実施形態のステップＳ１乃至Ｓ１０の処理（図６参照）と同様のステップＳ１０１乃至Ｓ１１０の処理が実行された後、次のような一連の処理が実行される。
【００８１】
ステップＳ１１１において、撮像制御部７２は、本撮影を行って撮像画像を取得する。
ステップＳ１１２において、記録／再生制御部７５は、本撮影時の被写体の明るさ（又は露出条件）を示す情報を撮像画像に付加して記録する。具体的には例えば、記録／再生制御部７５は、ステップＳ１１１において取得した撮像画像に含まれる被写体の明るさ（又は露出条件）を示す情報を撮像画像のデータに対しＥｘｉｆ（Ｅｘｃｈａｎｇｅａｂｌｅ  Ｉｍａｇｅ  Ｆｉｌｅ  Ｆｏｒｍａｔ）形式の所定のファイルとして、リムーバブルメディア６１に記憶する。この処理が終了すると、処理はステップＳ１０４に戻され、それ以降の処理が繰り返される。
【００８２】
以上、動作モードが撮影モードの場合におけるバックライト制御処理について説明した。次に、動作モードが再生モードの場合におけるバックライト制御処理について説明する。この場合、ステップＳ１０１において、動作モードが再生モードであると判定されて、処理はステップＳ１１３に進み、以下のような一連の処理が実行される。
ステップＳ１１３において、バックライト制御部７８は、最後に計測（検出）した被写体の明るさ情報に基づいてバックライト輝度を設定する。具体的には例えば、バックライト制御部７８は、ステップＳ１０６において複数のライブビュー画像の中から最後に出力されたライブビュー画像に基づき検出された被写体の明るさ情報、即ち、記憶部４７に記憶されている「更新された明るさ情報」に基づいて、バックライト輝度を設定する。このようにして、バックライト制御部７８は、動作モードが撮影モードから再生モードに切り替えられる直前に撮像された撮像画像から特定される撮像装置１（被写体）の明るさに基づいてバックライト部５０の輝度（明るさ）を設定することができる。
【００８３】
ステップＳ１１４において、主制御部７１は、ユーザの操作部４６の操作に基づき選択された再生対象となる撮像画像を選択する。
ステップＳ１１５において、バックライト制御部７８は、選択された撮像画像に被写体の明るさ（又は露出条件）を示す情報が付加されているか否かを判定する。
選択された撮像画像に被写体の明るさ（又は露出条件）を示す情報が付加されていない場合には、ステップＳ１１５においてＮＯであると判定されて、処理はステップＳ１１８に進む。ステップＳ１１８以降の処理については、後述する。
これに対し、選択された撮像画像に被写体の明るさ（又は露出条件）を示す情報が付加されている場合には、ステップＳ１１５においてＹＥＳであると判定されて、処理はステップＳ１１６に進む。
【００８４】
ステップＳ１１６において、バックライト制御部７８は、動作モードは、バックライト輝度の個別設定モードであるか否かを判定する。バックライト輝度の個別設定モードとは、ユーザの操作部４６の操作に基づき選択される動作モードの一種である。
バックライト輝度の個別設定モードでない場合には、ステップＳ１１６においてＮＯであると判定されて、処理はステップＳ１１８に進む。ステップＳ１１８以降の処理については、図６の第１実施形態のステップＳ２３以降の処理と同様であるため説明を省略する。
これに対して、バックライト輝度の個別設定モードである場合には、ステップＳ１１６において、ＹＥＳであると判定されて、処理はステップＳ１１７に進む。
【００８５】
ステップＳ１１７において、バックライト制御部７８は、選択された撮像画像に付加された被写体の明るさ（又は露出条件）情報に基づいて、バックライト輝度を設定する。この処理が終了すると、処理はステップＳ１１８に進む。ステップＳ１１８以降の処理については、図６の第１実施形態のステップＳ２３以降の処理と同様であるため説明を省略する。
【００８６】
以上説明したように、第３実施形態のバックライト制御部７８は、再生モードにおけるバックライト部５０の輝度の設定方法を、撮影モードから再生モードに切り替えられたタイミングで撮像される撮像画像のデータから特定される明るさ情報に対応するバックライト部５０の輝度を設定する第１の輝度設定方法と、表示部２１により表示される対象として選択された各々の撮像画像のデータの撮像時における明るさ情報を特定し、この特定された明るさ情報に対応するバックライト部５０の輝度を設定する第２の輝度設定方法と、を含む複数の輝度設定方法の中から１の輝度設定方法を選択できる。
これにより、ユーザが使用する様々な環境に合わせて輝度設定方法を選択できることで、様々な明るさの撮像画像の被写体に合わせた明るさに設定することができる。
【００８７】
なお、本発明は、上述の実施形態に限定されるものではなく、本発明の目的を達成できる範囲での変形、改良等は本発明に含まれるものである。
【００８８】
例えば、上述の実施形態においては、明るさ検出部７７は、特定した被写体の明るさ情報を所定数のＦＩＦＯメモリに追加して記憶しているがこれに限られるものではない。例えば、明るさ検出部７７は、特定した被写体の明るさ情報を所定時間毎に記憶したり、明るさの変化量が大きい場合においてのみ記憶することができる。また、明るさ検出部７７がＦＩＦＯメモリに記憶する明るさ情報の数は、ユーザの操作部４６の操作に基づきユーザが任意に設定することができる。
【００８９】
例えば上述の実施形態では、表示部２１は液晶型の表示装置として構成されていたが、特にこれに限定されない。表示部２１として、有機ＥＬ（Ｅｌｅｃｔｒｏ−Ｌｕｍｉｎｅｓｃｅｎｃｅ）等自発光素子型の表示装置を採用することができる。
この場合、表示部２１により表示される画像の表示内容や表示状態の制御は、自発光素子を制御対象として行われる。
【００９０】
例えば上述の実施形態では、自分撮りがなされる場合には、撮像方向と表示方向とが一致していたが、必ずしも一致する必要はない。即ち、表示部２１は、撮像部２２により撮像される被写体に対して射出光が届く範囲内に設置可能であれば足りる。
【００９１】
例えば表示部２１により表示される画像の表示内容や表示状態の制御のタイミングは、上述の実施形態に限定されず任意でよい。具体的には例えば、ビューティ機能が選択されているときのみ、顔が検出されているときのみ、被写体が女性であるときのみ、被写体の顔の大きさがある一定以上のときのみ等、各種各様の条件が成立したときのみ、上述の制御が実行されてもよい。
【００９２】
また、上述の実施形態では、本発明が適用される撮像装置１は、デジタルカメラを例として説明したが、特にこれに限定されない。
例えば、本発明は、撮像機能及び表示機能を有する電子機器一般に適用することができる。具体的には、例えば、本発明は、ノート型のパーソナルコンピュータ、プリンタ、テレビジョン受像機、ビデオカメラ、スマートフォン、携帯型ナビゲーション装置、携帯電話機、ポータブルゲーム機等に適用可能である。
【００９３】
上述した一連の処理は、ハードウェアにより実行させることもできるし、ソフトウェアにより実行させることもできる。
換言すると、図４の機能的構成は例示に過ぎず、特に限定されない。即ち、上述した一連の処理を全体として実行できる機能が撮像装置１に備えられていれば足り、この機能を実現するためにどのような機能ブロックを用いるのかは特に図５の例に限定されない。
また、１つの機能ブロックは、ハードウェア単体で構成してもよいし、ソフトウェア単体で構成してもよいし、それらの組み合わせで構成してもよい。
【００９４】
一連の処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。また、コンピュータは、各種のプログラムをインストールすることで、各種の機能を実行することが可能なコンピュータ、例えば汎用のパーソナルコンピュータであってもよい。
【００９５】
このようなプログラムを含む記録媒体は、ユーザにプログラムを提供するために装置本体とは別に配布される図３のリムーバブルメディア６１により構成されるだけでなく、装置本体に予め組み込まれた状態でユーザに提供される記録媒体等で構成される。リムーバブルメディア６１は、例えば、磁気ディスク（フロッピディスクを含む）、光ディスク、又は光磁気ディスク等により構成される。光ディスクは、例えば、ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ）等により構成される。光磁気ディスクは、ＭＤ（Ｍｉｎｉ−Ｄｉｓｋ）等により構成される。また、装置本体に予め組み込まれた状態でユーザに提供される記録媒体は、例えば、プログラムが記録されている図４のＲＯＭ４２や、図４の記憶部４７に含まれるハードディスク等で構成される。
【００９６】
なお、本明細書において、記録媒体に記録されるプログラムを記述するステップは、その順序に沿って時系列的に行われる処理はもちろん、必ずしも時系列的に処理されなくとも、並列的或いは個別に実行される処理をも含むものである。
【００９７】
以上、本発明のいくつかの実施形態について説明したが、これらの実施形態は、例示に過ぎず、本発明の技術的範囲を限定するものではない。本発明はその他の様々な実施形態を取ることが可能であり、さらに、本発明の要旨を逸脱しない範囲で、省略や置換等種々の変更を行うことができる。これら実施形態やその変形は、本明細書等に記載された発明の範囲や要旨に含まれると共に、特許請求の範囲に記載された発明とその均等の範囲に含まれる。
【００９８】
以下に、本願の出願当初の特許請求の範囲に記載された発明を付記する。
［付記１］
撮像手段により被写体の撮像画像を撮像する撮影モードと、前記撮像手段による撮像動作を停止し前記撮像手段により撮像された前記被写体を表示手段で表示する再生モードと、を少なくとも含む複数の動作モードのうち１の動作モードに切り替えるモード切替手段と、
前記被写体を前記表示手段で表示する場合に、前記表示手段のバックライトの輝度を設定するバックライト制御手段と、
を備え、
前記バックライト制御手段は、
前記モード切替手段により動作モードが前記再生モードに切り替えられた場合には、前記撮像手段により所定のタイミングで撮像された被写体の撮像画像のデータから特定される明るさ情報に基づいて、前記再生モードが設定されている期間における前記表示手段のバックライトの輝度を設定する、
ことを特徴とする撮像装置。
［付記２］
前記バックライト制御手段は、
前記モード切替手段により前記動作モードが前記撮影モードから前記再生モードに切り替えられる直前に前記撮像手段により撮像された撮像画像のデータから特定される明るさ情報に基づいて、前記表示手段のバックライトの輝度を設定する、
ことを特徴とする付記１に記載の撮像装置。
［付記３］
前記バックライト制御手段は、
前記モード切替手段により再び前記撮影モードに切り替えられるまでの間、前記表示手段のバックライトの輝度を維持するように設定する、
ことを特徴とする付記２に記載の撮像装置。
［付記４］
前記バックライト制御手段は、
前記モード切替手段により前記撮影モードに切り替えられた場合に、
ライブビュー表示用に逐次撮像される撮像画像のデータから特定される明るさ情報に基づいて、前記撮像手段により撮像される撮像条件と、前記表示手段のバックライトの輝度の両方を変化させる、
ことを特徴とする付記１乃至３のうち何れか１つに記載の撮像装置。
［付記５］
前記撮像手段により撮像された被写体の撮像画像のデータから特定される明るさ情報と、前記バックライト制御手段により設定される前記表示手段のバックライトの輝度と、の対応関係が予め規定されている、
ことを特徴とする付記１乃至４のうち何れか１つに記載の撮像装置。
［付記６］
前記バックライト制御手段は、
前記モード切替手段により前記撮影モードから前記再生モードに切り替えられる直前の所定時間内に撮像された前記撮像画像から特定される明るさ情報に基づき明るさの変化の範囲を特定し、この特定された明るさの変化の範囲内で対応する前記表示手段のバックライトの輝度を設定する、
ことを特徴とする付記５に記載の撮像装置。
［付記７］
前記バックライト制御手段は、
前記特定された明るさの変化の範囲に対応する前記バックライトの輝度の範囲内から、所定の動作モードの設定状態に応じて前記バックライトの輝度を選択する、
ことを特徴とする付記６に記載の撮像装置。
［付記８］
前記バックライト制御手段は、
前記撮像装置の消費電力を抑える省電力モードが設定されている場合は、前記特定された明るさの変化の範囲に対応する前記バックライトの輝度の範囲内から、最も暗いバックライドの輝度を選択する、
ことを特徴とする付記７に記載の撮像装置。
［付記９］
前記バックライト制御手段は、
前記特定された明るさの変化の範囲が所定未満である場合には、前記所定時間内の最後に撮像された撮像画像のデータから特定される明るさ情報に基づいて前記バックライトの輝度を設定し、
前記特定された明るさの変化の範囲が所定以上である場合には、前記所定時間内に撮像された撮像画像のデータから特定される明るさの変化の範囲に対応する前記バックライトの輝度の範囲内から、所定の基準に基づいて前記バックライトの輝度を設定する、
ことを特徴とする付記６に記載の撮像装置。
［付記１０］
前記バックライト制御手段は、
前記再生モードにおける前記バックライトの輝度の設定方法を、
前記撮影モードから前記再生モードに切り替えられたタイミングで撮像される撮像画像のデータから特定される明るさ情報に対応する前記バックライトの輝度を設定する第１の輝度設定方法と、
前記表示手段により表示される対象として選択された各々の撮像画像のデータの撮像時における明るさ情報を特定し、この特定された明るさ情報に対応する前記バックライトの輝度を設定する第２の輝度設定方法と、
を含む複数の輝度設定方法の中から１の輝度設定方法を選択して設定する、
ことを特徴とする付記１乃至９のうち何れか１つに記載の撮像装置。
［付記１１］
表示部のバックライトの輝度を設定する撮像装置が実行するバックライト設定方法であって、
撮像部により被写体の撮像画像を撮像する撮影モードと、前記撮像部による撮像動作を停止し前記撮像部により撮像された前記被写体を表示部で表示する再生モードと、を少なくとも含む複数の動作モードのうち１の動作モードに切り替えるモード切替ステップと、
前記被写体を前記表示部で表示する場合に、前記表示部のバックライトの輝度を設定するバックライト制御ステップと、
を含み、
前記バックライト制御ステップは、
前記モード切替ステップにより動作モードが前記再生モードに切り替えられた場合には、前記撮像部により撮像された被写体の撮像画像のデータから特定される明るさ情報に基づいて、前記表示部のバックライトの輝度を設定する
ステップを含むことを特徴とするバックライト設定方法。
［付記１２］
表示部のバックライトの輝度を設定するコンピュータを、
撮像手段により被写体の撮像画像を撮像する撮影モードと、前記撮像手段による撮像動作を停止し前記撮像手段により撮像された前記被写体を表示手段で表示する再生モードと、を少なくとも含む複数の動作モードのうち１の動作モードに切り替えるモード切替手段、
前記被写体を前記表示手段で表示する場合に、前記表示手段のバックライトの輝度を設定するバックライト制御手段、
として機能させ、
前記バックライト制御手段として、
前記モード切替手段により動作モードが前記再生モードに切り替えられた場合には、前記撮像手段により撮像された被写体の撮像画像のデータから特定される明るさ情報に基づいて、前記表示手段のバックライトの輝度を設定する
ように機能させることを特徴とするプログラム。
【符号の説明】
【００９９】
１・・・撮像装置、２１・・・表示部、２２・・・撮像部、４１・・・ＣＰＵ、４２・・・ＲＯＭ、４３・・・ＲＡＭ、４４・・・バス、４５・・・入出力インターフェース、４６・・・操作部、４７・・・記憶部、４８・・・通信部、４９・・・ドライブ、５０・・・バックライト部、６１・・・リムーバブルメディア、７１・・・主制御部、７２・・・撮像制御部、７３・・・スイッチ、７４・・・表示制御部、７５・・・記録／再生制御部、７６・・・モード切替部、７７・・・明るさ検出部、７８・・・バックライト制御部
【図１】
2015005914.tif 000003
【図２】
2015005914.tif 000004
【図３】
2015005914.tif 000005
【図４】
2015005914.tif 000006
【図５】
2015005914.tif 000007
【図６】
2015005914.tif 000008
【図７】
2015005914.tif 000009
【図８】
2015005914.tif 000010